(57)【要約】【課題】基礎に対して位置ずれを有するあるいは傾斜して植設されるボルトに対しても簡単に適合でき、取付けが円滑な球体中子を有する偏芯スペーサを提供する。【解決手段】球体中子を有する偏芯スペーサであって、基礎に植設されるボルトを受け入れる第１の偏芯貫通穴２とこの第１の偏芯貫通穴２の上部に連通する半球形凹部３とを有する円筒状の下部ブロック１と、前記ボルトを受け入れる第１の偏芯貫通穴２′とこの第１の偏芯貫通穴２′の下部に連通する半球形凹部３′とを有する円筒状の上部ブロック５と、前記ボルトを受け入れる第２の偏芯貫通穴９を有する球体中子８を備え、前記下部ブロック１と上部ブロック５とを組み合わせた内側に形成される球形をした空間部に前記球体中子８を有する組み立て体を貫通穴を有する被固定体に収容するとともに、前記ボルトが前記球体中子８の前記第２の偏芯貫通穴９に適合して貫通され、前記基礎に対して前記被固定体を所定位置に固定するために、前記被固定体の上面で締結される。【選択図】  図１
2004256055.tif 000002
【特許請求の範囲】
【請求項１】
（ａ）基礎に植設されるボルトを受け入れる第１の偏芯貫通穴と該第１の偏芯貫通穴の上部に連通する半球形凹部とを有する円筒状の下部ブロックと、
（ｂ）前記ボルトを受け入れる第１の偏芯貫通穴と該第１の偏芯貫通穴の下部に連通する半球形凹部とを有する円筒状の上部ブロックと、
（ｃ）前記ボルトを受け入れる第２の偏芯貫通穴を有する球体中子とを備え、
（ｄ）前記下部ブロックと上部ブロックとを組み合わせた内側に形成される球形をした空間部に前記球体中子を有する組み立て体を貫通穴を有する被固定体に収容するとともに、
（ｅ）前記ボルトが前記球体中子の前記第２の偏芯貫通穴に適合して貫通され、前記基礎に対して前記被固定体を所定位置に固定する球体中子を有する偏芯スペーサ。
【請求項２】
請求項１記載の球体中子を有する偏芯スペーサにおいて、前記下部ブロックと上部ブロックの浮き上がり防止板を具備する球体中子を有する偏芯スペーサ。
【請求項３】
請求項１又は２記載の球体中子を有する偏芯スペーサにおいて、前記下部ブロック及び上部ブロックと前記被固定体の貫通穴との空隙部に装填される詰め物を具備する球体中子を有する偏芯スペーサ。
【請求項４】
請求項１記載の球体中子を有する偏芯スペーサにおいて、前記基礎が路盤であり、前記被固定体がガイドウェイの側壁である磁気浮上式鉄道に用いる球体中子を有する偏芯スペーサ。
【発明の詳細な説明】
【０００１】
【発明の属する技術分野】
本発明は、磁気浮上式鉄道のガイドウェイの側壁の取付けなどに用いられる球体中子を有する偏芯スペーサに関するものである。
【０００２】
【従来の技術】
従来、基礎に植設されるボルトに被固定体を取り付ける際には、被固定体を基礎の所定位置に正しく設置する必要があるが、ボルトを基礎の所定位置に合うように正確に植設することが困難であるために、被固定体の固定を行う時点でボルトの位置の狂いに対応できるように被固定体を調整して取り付けることを可能にするためのスペーサが不可欠になる。
【０００３】
そのような状況を考慮して、本願発明者は既に偏芯スペーサ（特願２００２−０２４５６１）を提案している。
【０００４】
【発明が解決しようとする課題】
ところで、磁気浮上鉄道のガイドウェイ側壁などの固定用ボルトは、基礎であるコンクリートに植設される際に、必ずしも基礎に対して垂直な状態になっているとは限らない。
【０００５】
ところが、上記した偏芯スペーサは中子が円筒形状であり、その中子を貫通している貫通穴も円柱形状になっているため、基礎に植設されたボルトが基礎に対して傾斜している場合には、その円柱形状の貫通穴にボルトを貫通させることができないといった問題があった。
【０００６】
本発明は、上記状況に鑑みて、基礎に対して位置ずれを有するあるいは傾斜して植設されるボルトに対しても簡単に適合でき、取付けが円滑な、球体中子を有する偏芯スペーサを提供することを目的とする。
【０００７】
【課題を解決するための手段】
本発明は、上記目的を達成するために、
〔１〕球体中子を有する偏芯スペーサであって、基礎に植設されるボルトを受け入れる第１の偏芯貫通穴とこの第１の偏芯貫通穴の上部に連通する半球形凹部とを有する円筒状の下部ブロックと、前記ボルトを受け入れる第１の偏芯貫通穴とこの第１の偏芯貫通穴の下部に連通する半球形凹部とを有する円筒状の上部ブロックと、前記ボルトを受け入れる第２の偏芯貫通穴を有する球体中子とを備え、前記下部ブロックと上部ブロックとを組み合わせた内側に形成される球形をした空間部に前記球体中子を有する組み立て体を貫通穴を有する被固定体に収容するとともに、前記ボルトが前記球体中子の前記第２の偏芯貫通穴に適合して貫通され、前記基礎に対して前記被固定体を所定位置に固定する。
【０００８】
〔２〕上記〔１〕記載の球体中子を有する偏芯スペーサにおいて、前記下部ブロックと上部ブロックの浮き上がり防止板を具備する。
【０００９】
〔３〕上記〔１〕又は〔２〕記載の球体中子を有する偏芯スペーサにおいて、前記下部ブロック及び上部ロブロックと前記被固定体の貫通穴との空隙部に装填される詰め物を具備する。
【００１０】
〔４〕上記〔１〕記載の球体中子を有する偏芯スペーサにおいて、前記基礎が路盤であり、前記被固定体がガイドウェイの側壁である磁気浮上式鉄道に用いる。
【００１１】
【発明の実施の形態】
以下、本発明の実施の形態について、詳細に説明する。
【００１２】
図１は本発明の実施例を示す球体中子を有する偏芯スペーサの垂直断面図、図２はその球体中子を有する偏芯スペーサの水平断面図、図３はその斜視図、図４は本発明の実施例を示す球体中子を有する偏芯スペーサを用いた基礎への被固定体の取付け状態を示す分解斜視図である。
【００１３】
これらの図において、１は円筒状の下部ブロックであり、この下部ブロック１は、基礎２０に植設されるボルト２１を受け入れる第１の偏芯貫通穴２と、この第１の偏芯貫通穴２の上部に連通し、球体中子８を載せるための半球形凹部３、螺着用雌ねじ孔４を有している。５は円筒状の上部ブロックであり、この上部ブロック５は基礎２０に植設されるボルト２１を受け入れる第１の偏芯貫通穴２′と、この第１の偏芯貫通穴２′の下部に連通し、球体中子８上部と接する半球形凹部３′とねじ挿入孔６を有する。
【００１４】
一方、球体中子８には、第２の偏芯貫通穴９が形成されており、基礎２０に植設されるボルト２１が貫通する構造となっている。
【００１５】
そこで、下部ブロック１の半球形凹部３に球体中子８を載せて、上部ブロック５の半球形凹部３′に球体中子８の上部が収容できるように上部ブロック５を球体中子８に載せる。すなわち、上部ブロック５と下部ブロック１を組み合わせた内側に形成される球形をした空間部に球体中子８が形成されるように、下部ブロック１と上部ブロック５とをねじ棒７により螺着する。なお、１０はこのようにして組み合わされた下部ブロック１と上部ブロック５の第１の偏芯貫通穴２，２′の内周面、１１は下部ブロック１と上部ブロック５の外周面を示している。
【００１６】
因みに、この組み立て体の寸法例（図１参照）を示すと、第１の偏芯貫通穴２，２′の直径φ１  は６４ｍｍ、球体中子８の直径φ２  は８０ｍｍ、第２の偏芯貫通穴９の直径φ３  は３５．５ｍｍ、下部ブロック１と上部ブロック５の高さＬ１  はそれぞれ５０ｍｍ、下部ブロック１と上部ブロック５の半球形凹部を除いて最も薄い部分の幅Ｌ２  はそれぞれ１５ｍｍ、最も厚い部分の幅Ｌ３  はそれぞれ４２ｍｍ、下部ブロック１と上部ブロック５の外径φ４  は１２１ｍｍである。
【００１７】
なお、図２において、１２は球体中子８の中心、１３は下部ブロック１と上部ブロック５の中心であり、それらの中心１２と１３のシフト量Ｌ４  は１３．５ｍｍ、１４はこの寸法例の偏芯スペーサにおいて基礎２０に植設されるボルト２１を受入れでき得る範囲であり、その範囲の直径φ５  は８９ｍｍである。
【００１８】
次に、図４を参照しながら、球体中子を有する偏芯スペーサの適用について説明する。
【００１９】
上記したように、球体中子８が下部ブロック１と上部ブロック５によって収容されるように組み立てられた偏芯スペーサを、被固定体３０の所定位置に形成される貫通穴３１（その直径φ７  は１２１ｍｍ）に装着し、基礎２０に植設されるボルト２１に適合するように配置する。すなわち、その際、基礎２０の決められた点線位置に被固定体３０を固定するために、ボルト２１が球体中子８の第２の偏芯貫通穴９を貫通するように上部ブロック５および下部ブロック１の半球形凹部３，３′の位置と球体中子８の第２の偏芯貫通穴９の位置と角度を調整して組み合わせた偏芯スペーサが配置され、その上に厚めの座金２４を介して、ボルト２１の先端部をナット２５によって締着する。
【００２０】
このように構成することにより、基礎２０に植設されるボルト２１が少々傾斜していても、球体中子８を回転させ、第２の偏芯貫通穴９をボルト２１の傾斜に対応するように傾斜させることにより、簡単に適合でき、基礎２０の正しい位置へ被固定体３０を円滑に取り付けることができる。
【００２１】
また、上記実施例において、下部ブロック１及び上部ブロック５と被固定体３０の貫通穴３１との空隙部に、図示しないが詰め物を装填して、より強固な固定を行うようにすることができる。
【００２２】
図５は上記した球体中子を有する偏芯スペーサを磁気浮上式鉄道のガイドウェイの構築に適用した例を示す図、図６はそのＡ部の拡大断面図である。
【００２３】
この図において、４０はガイドウェイであり、このガイドウェイ４０は、路盤４１にボルト４２が植設され、ガイドウェイ側壁４４の脚部の取付部４５の貫通穴４６に、上記した球体中子を有する偏芯スペーサ４７を介してボルト４２を貫通させ固定することにより、路盤４１に被固定体としてのガイドウェイ側壁４４を固定する構成となっている。
【００２４】
すなわち、図１〜図４に示したように、球体中子８が下部ブロック１と上部ブロック５によって収容されるように組み立てられた偏芯スペーサ４７を、被固定体としてのガイドウェイ側壁４４の脚部の取付部４５の所定位置に形成される貫通穴４６（その直径φ７  は１２１ｍｍ）に装着し、基礎としての路盤４１に植設されるボルト４２に適合するように配置する。つまり、図６に示すように、ボルト４２が球体中子８の第２の偏芯貫通穴９を貫通するように球体中子を有する偏芯スペーサ４７が配置され、浮き上がり防止板５１（例えば、直径φ６  １１８ｍｍ）を配置した後、その上に厚めの座金５２とスプリングワッシャ５３，５４を介して、ボルト４２の先端部をナット５５によって締着する。
【００２５】
本実施例は路盤に植設されるボルトの傾斜、位置ずれに対する適用を述べているが、路盤に雌ネジを埋め込んでナット締結の代わりに上からボルトで締結する場合にも同様の効果を奏することができる。
【００２６】
なお、本発明の球体中子を有する偏芯スペーサは、この磁気浮上式鉄道のガイドウェイの構築への適用をはじめ広範な用途を有するものであることは言うまでもない。
【００２７】
また、本発明は上記実施例に限定されるものではなく、本発明の趣旨に基づいて種々の変形が可能であり、それらを本発明の範囲から排除するものではない。
【００２８】
【発明の効果】
以上、詳細に説明したように、本発明によれば、基礎への被固定体の取付けにあたり、基礎に設けられるボルトの位置ずれ、傾斜があっても一定の範囲内であれば、簡単に適合でき、取付けを円滑に行うことができる。
【図面の簡単な説明】
【図１】本発明の実施例を示す球体中子を有する偏芯スペーサの垂直断面図である。
【図２】本発明の実施例を示す球体中子を有する偏芯スペーサの水平断面図である。
【図３】本発明の実施例を示す球体中子を有する偏芯スペーサの斜視図である。
【図４】本発明の実施例を示す球体中子を有する偏芯スペーサを用いた基礎への被固定体の取付け状態を示す分解斜視図である。
【図５】本発明の実施例を示す球体中子を有する偏芯スペーサを磁気浮上式鉄道のガイドウェイの構築に適用した例を示す図である。
【図６】図５のＡ部拡大断面図である。
【符号の説明】
１    下部ブロック
２，２′    第１の偏芯貫通穴
３，３′    半球形凹部
４    螺着用雌ねじ孔
５    上部ブロック
６    ねじ挿入孔
７    ねじ棒
８    球体中子
９    第２の偏芯貫通穴
１０    第１の偏芯貫通穴の内周面
１１    下部ブロックと上部ブロックの外周面
１２    球体中子の中心
１３    下部ブロックと上部ブロックの中心
１４    偏芯スペーサが受け入れでき得るボルトの存在範囲
２０    基礎
２１，４２    ボルト
２４    座金
２５，５５    ナット
３０    被固定体
３１，４６    貫通穴
４０    ガイドウェイ
４１    路盤
４４    ガイドウェイ側壁
４５    ガイドウェイ側壁の脚部の取付部
４７    球体中子を有する偏芯スペーサ
５１    浮き上がり防止板
５２    厚めの座金
５３，５４    スプリングワッシャ
【図１】
2004256055.tif 000003
【図２】
2004256055.tif 000004
【図３】
2004256055.tif 000005
【図４】
2004256055.tif 000006
【図５】
2004256055.tif 000007
【図６】
2004256055.tif 000008